(57)【特許請求の範囲】
【請求項１】
光ピックアップの対物レンズが保持されるとともに、フォーカスコイルが巻回されたレンズ保持体と、
前記フォーカスコイルに臨ませて配設されたフォーカス用ヨークと、
前記レンズ保持体の両側に配設されたトラッキングコイルと、
前記レンズ保持体の両側のトラッキングコイルの外方にそれぞれ臨ませて配設されたトラッキング用ヨークと、
前記両側のトラッキングコイルのうちの一方のトラッキングコイルの外側に配設されたダンパホルダと、
前記一方のトラッキングコイルの両側を通り前記レンズ保持体と前記ダンパホルダとを連結する弾性変形可能な複数のばね鋼材とを備え、
前記トラッキングコイルおよびフォーカスコイルへの通電が前記ばね鋼材を介して行なわれる光ディスク装置の２軸装置であって、
前記レンズ保持体のトラッキング方向の両側に、トラッキング方向に沿って軸状に延在する第１連結部および第２連結部がフォーカス方向に間隔をおいてそれぞれ設けられ、
前記第１、第２連結部は、前記レンズ保持体寄りの第１巻回部と、前記レンズ保持体と反対寄りの第２巻回部と、前記第１、第２巻回部の中間に位置する非巻回部とを有し、
前記フォーカスコイルの巻線の両端は、前記第１連結部の前記非巻回部に巻回されることなく前記第１連結部の前記第１、第２巻回部に巻回され、
前記トラッキングコイルの巻線の両端は、前記第２連結部の前記非巻回部に巻回されることなく前記第２連結部の前記第１、第２巻回部に巻回され、
前記第１巻回部の径方向の寸法は、前記第２巻回部の径方向の寸法よりも大きくなるように、かつ、前記第２巻回部の径方向の寸法は前記非巻回部の径方向の寸法より大きくなるように構成され、
前記非巻回部には、光ディスクのトラック接線方向に貫通する貫通孔が設けられ、
前記貫通孔は、その貫通孔の延在方向の中間部の直径が両端部の直径よりも小さい寸法となる２つの円錐面で構成され、
前記ばね鋼材の前記レンズ保持体への連結は、前記ばね鋼材の端部が前記貫通孔に挿通され、前記第１、第２巻回部に巻回された前記トラッキングコイルの巻線と前記貫通孔に挿通されたばね鋼材の端部とが半田付けされるとともに、前記第１、第２巻回部に巻回された前記フォーカスコイルの巻線と前記貫通孔に挿通されたばね鋼材の端部とが半田付けされることで行なわれている、
ことを特徴とする光ディスク装置の２軸装置。
【請求項２】
前記ばね鋼材の端部と前記貫通孔との間に接着剤を充填したことを特徴とする請求項１記載の光ディスク装置の２軸装置。
【発明の詳細な説明】
【０００１】
【発明の属する技術分野】
本発明は、光ディスク装置の２軸装置に関するものである。
【０００２】
【従来の技術】
光ディスクに対して記録／再生を行なう光ディスク装置には、光ピックアップの対物レンズを光ディスクのトラッキング方向とフォーカス方向に位置調整する２軸装置が設けられている。
このような２軸装置は、光ピックアップの対物レンズが保持されるとともに、フォーカスコイルが巻回されたレンズ保持体、前記フォーカスコイルに臨ませて配設されたフォーカス用ヨーク、前記レンズ保持体の両側に配設されたトラッキングコイル、前記レンズ保持体の両側のトラッキングコイルの外方にそれぞれ臨ませて配設されたトラッキング用ヨークなどを備えて構成されている。
また、レンズ保持体は、弾性変形可能なばね鋼材を介して、該ばね鋼材の振動を吸収するダンパホルダに連結されている。
【０００３】
【発明が解決しようとする課題】
従来の光ディスク装置の２軸装置には次のような不具合があった。
第１に、対物レンズとレンジ保持部材を接着する接着剤が温度変化などによって伸縮することによって対物レンズの位置が光ディスクのトラッキング方向やトラック接線方向へずれてしまい、光ピックアップの組立て精度に悪影響を与えやすかった。
第２に、トラッキングコイルとトラッキング用ヨークとの間隔が限られているため、レンズ保持体のトラッキング用ヨークに臨む部分、すなわちトラッキングコイルが巻回される部分の肉厚を薄くせざるを得ず、レンズ保持体の強度の向上を図る上で支障となっていた。
第３に、フォーカス用ヨークがフォーカスコイルの内側に配設される場合、レンズ保持体にフォーカス用ヨークが挿通される開口を設ける必要があり、レンズ保持体の強度の向上を図る上で支障となっていた。
第４に、ばね鋼材とレンズ保持体とを連結部分の構成が複雑でコストがかかっていた。また、ばね鋼材の有効長を決定するばね鋼材とレンズ保持体の連結部分の位置精度を向上させることが難しかった。
第５に、ばね鋼材とダンパホルダの間に液状のダンパ材料を注入してこのダンパ材料を硬化させることでばね部材とダンパホルダを連結するが、ダンパ材料に空気が混入しないように注入することは難しかった。
第６に、フォーカス用ヨークおよびトラッキング用ヨークが複数の部材から構成されているため、部品点数が多くコストダウンを図る上で支障があった。
本発明は、このような実状に鑑みてなされたものであり、その目的とするところは、対物レンズの光ディスクのトラッキング方向やトラック接線方向に対する位置ずれが生じにくい光ディスクの２軸装置を提供することにある。
また、レンズ保持体の強度の向上することができる光ディスクの２軸装置を提供することにある。
また、ばね鋼材とレンズ保持体とを連結部分の構成が簡素化でき、ばね鋼材とレンズ保持体の連結部分の位置精度を向上させることができる光ディスクの２軸装置を提供することにある。
また、ばね鋼材とダンパホルダの間に注入する液状のダンパ材料に空気が混入しにくい光ディスクの２軸装置を提供することにある。
また、フォーカス用ヨークおよびトラッキング用ヨークを構成する部材を簡素化してコストダウンを図ることができる光ディスクの２軸装置を提供することにある。
【０００４】
【課題を解決するための手段】
本発明の光ディスク装置の２軸装置は、光ピックアップの対物レンズが保持されるとともに、フォーカスコイルが巻回されたレンズ保持体と、前記フォーカスコイルに臨ませて配設されたフォーカス用ヨークと、前記レンズ保持体の両側に配設されたトラッキングコイルと、前記レンズ保持体の両側のトラッキングコイルの外方にそれぞれ臨ませて配設されたトラッキング用ヨークと、前記両側のトラッキングコイルのうちの一方のトラッキングコイルの外側に配設されたダンパホルダと、前記一方のトラッキングコイルの両側を通り前記レンズ保持体と前記ダンパホルダとを連結する弾性変形可能な複数のばね鋼材とを備え、前記トラッキングコイルおよびフォーカスコイルへの通電が前記ばね鋼材を介して行なわれる光ディスク装置の２軸装置であって、前記レンズ保持体のトラッキング方向の両側に、トラッキング方向に沿って軸状に延在する第１連結部および第２連結部がフォーカス方向に間隔をおいてそれぞれ設けられ、前記第１、第２連結部は、前記レンズ保持体寄りの第１巻回部と、前記レンズ保持体と反対寄りの第２巻回部と、前記第１、第２巻回部の中間に位置する非巻回部とを有し、前記フォーカスコイルの巻線の両端は、前記第１連結部の前記非巻回部に巻回されることなく前記第１連結部の前記第１、第２巻回部に巻回され、前記トラッキングコイルの巻線の両端は、前記第２連結部の前記非巻回部に巻回されることなく前記第２連結部の前記第１、第２巻回部に巻回され、前記第１巻回部の径方向の寸法は、前記第２巻回部の径方向の寸法よりも大きくなるように、かつ、前記第２巻回部の径方向の寸法は前記非巻回部の径方向の寸法より大きくなるように構成され、前記非巻回部には、光ディスクのトラック接線方向に貫通する貫通孔が設けられ、前記貫通孔は、その貫通孔の延在方向の中間部の直径が両端部の直径よりも小さい寸法となる２つの円錐面で構成され、前記ばね鋼材の前記レンズ保持体への連結は、前記ばね鋼材の端部が前記貫通孔に挿通され、前記第１、第２巻回部に巻回された前記トラッキングコイルの巻線と前記貫通孔に挿通されたばね鋼材の端部とが半田付けされるとともに、前記第１、第２巻回部に巻回された前記フォーカスコイルの巻線と前記貫通孔に挿通されたばね鋼材の端部とが半田付けされることで行なわれていることを特徴とする。
【００１０】
【発明の実施の形態】
次に、本発明の実施の形態について図面を参照して説明する。
図１は本発明の第１の実施の形態の光ディスク装置の２軸装置の構成を示す平面図、図２は図１のＡＡ線断面図である。
図１に示すように、２軸装置Ｕは、光ピックアップの対物レンズ１０を保持するレンズ保持体１２、フォーカスコイル１４（図３参照）、トラッキングコイル１６、ヨーク部材１８、磁石２０、ばね鋼材２２、ダンパホルダ２４、基板２６などを備えて構成されている。なお、図１において符号Ｘは光ディスクのトラッキング方向を示し、符号Ｚは光ディスクのフォーカス方向を示し、符号Ｙは前記トラッキング方向およびフォーカス方向に直交するトラック接線方向を示している。
図１、図２に示すように、前記対物レンズ１０は偏平な円柱状を呈している。
前記レンズ保持体１２は、筒部１２０２を有し、該筒部１２０２の先端に、前記対物レンズ１０の外周面と一方のレンズ面の外側の箇所を保持する環状の対物レンズ保持壁１２０３が設けられている。
図３（Ａ）、（Ｂ）、（Ｃ）に示すように、前記対物レンズ１０は前記対物レンズ保持壁１２０３に保持された状態で、接着剤Ｓにより前記対物レンズ保持壁１２０３に取り付けられている。
前記接着剤Ｓは、前記対物レンズ１０の中心を通り前記トラッキング方向Ｘに対して４５度斜めの方向に延在する２本の仮想線と交わる対物レンズ保持壁１２０３の４箇所に位置している。
【００１１】
図３（Ａ）、（Ｂ）に示すように、前記筒部１２０２の半径方向外側には、第１コイル巻回部１２０４が設けられ、前記筒部１２０２のトラック接線方向Ｙの両側には、第２コイル巻回部１２０６がそれぞれ設けられている。
前記第１コイル巻回部１２０４には、フォーカスコイル１４が巻回され、図２に示すように、前記筒部１２０２の外側でフォーカスコイル１４の内側にフォーカス用ヨーク１８０２が配置され、このフォーカス用ヨーク１８０２の先端は前記レンズ保持壁１２０３の部分で覆われている。
前記フォーカス用ヨーク１８０２の先端と、該先端に臨むレンズ保持壁１２０３の部分とは当接可能に構成され、これらが当接することで前記レンズ保持体１２のフォーカス方向Ｚに対するストッパが構成されている。
【００１２】
前記各第２コイル巻回部１２０６は、前記トラッキングコイル１６が巻回される筒部と、筒部の先端に形成された肉厚のフランジ部１２０７とから構成され、これら筒部とフランジ部１２０７は２つ設けられている。
前記両側のトラッキングコイル１４の外方には、矩形板状の前記磁石２０を有するトラッキング用ヨーク１８０４が配設されている。前記磁石２０がトラッキングコイル１４に臨む面は、前記トラッキング方向Ｘおよびフォーカス方向Ｚを通る単一面に対して平行して延在している。
前記トラッキングコイル１６は、第２コイル巻回部１２０６に巻回された状態で、前記磁石２０に臨む面が前記トラッキング方向Ｘに沿って前記単一面との間隔が次第に変化するように傾斜している。より詳細には、２つのトラッキングコイル１６が前記磁石２０に臨む面は、前記対物レンズ１０の中心を通り前記トラック接線方向Ｙと平行する中心線から離れるに従って次第に離れるように傾斜ししている。
【００１３】
図１、図３に示すように、前記レンズ保持体１２のトラッキング方向Ｘの両側には、第１連結部１２０８と第２連結部１２１０がフォーカス方向Ｚに間隔をおいてそれぞれ設けられている。
前記レンズ保持体１２の両側に設けられた前記各第１連結部１２０８は、対物レンズ１０寄りに位置しており、前記フォーカスコイル１４の巻線の両端がそれぞれ巻回されるように構成されている。
前記レンズ保持体１２の両側に設けられた前記各第２連結部１２１０は、対物レンズ１０と反対側寄りに位置しており、前記トラッキングコイル１６の巻線の両端がそれぞれ巻回されるように構成されている。
【００１４】
図４（Ａ）、（Ｂ）、（Ｃ）に示すように、第１、第２連結部１２０８、１２１０は、前記レンズ保持体１２から軸状に突設されており、レンズ保持体１２寄りの第１巻回部１２１１と、レンズ保持体１２と反対寄りの第２巻回部１２１２と、第１、第２巻回部１２１１、１２１２の中間に位置する非巻回部１２１３とから構成されている。
前記フォーカスコイル１４、トラッキングコイル１６の巻線の両端は、第１、第２巻回部１２１１、１２１２の外周部分に巻回され、前記非巻回部１２１２には巻回されないように構成されている。
前記第１巻回部１２１１の径方向の寸法は、前記第２巻回部１２１２の径方向の寸法よりも大きくなるように、かつ、前記第２巻回部１２１２の径方向の寸法は前記非巻回部１２１２の径方向の寸法より大きくなるように構成されている。
図４に示すように、前記非巻回部１２１３には、後述する前記ばね鋼材２２が挿通されるトラック接線方向Ｙに貫通する貫通孔１２１４が設けられ、この貫通孔１２１４は、その貫通孔１２１４の延在方向の中間部の直径が両端部の直径よりも小さい寸法となる２つの円錐面１２１５、１２１６で構成されている。
前記貫通孔１２１４の中間部の直径は、前記ばね鋼材２２の直径よりも僅かに大きな寸法となるように構成されている。
【００１５】
図４（Ｄ）に示すように、前記ばね鋼材２２は、弾性変形可能に構成され、その一端が前記第１、第２連結部１２０８、１２１０の貫通孔１２１４に挿通された状態で、前記第１、第２巻回部１２１１、１２１２に巻回された前記フォーカスコイル１４、トラッキングコイル１６の巻線の両端に半田Ｈによって半田付けされることによって前記レンズ保持体１２に連結されている。
図１に示すように、前記ばね鋼材２２の他端は、前記ダンパホルダ２４に連結される。
【００１６】
図１に示すように、前記ダンパホルダ２４は、前記レンズ保持体１２のトラック接線方向Ｙの一方の側に配設され、前記基板２６は、前記ダンパホルダ２４のレンズ保持体１２と反対側において、トラッキング方向Ｘおよびフォーカス方向Ｚと平行をなすように配設されている。
図５はダンパホルダの斜視図、図６（Ａ）はダンパホルダの正面図、図６（Ｂ）は図６（Ａ）のＡＡ線断面図、図６（Ｃ）は図６（Ａ）のＢＢ線断面図である。
図５、図６に示すように、前記ダンパホルダ２４は、トラッキング方向Ｘに延在する本体２４０２と、この本体２４０２の延在方向の両端からレンズ保持体１２側に延在する２つの連結部２４０４と、本体２４０２の延在方向の中間部でトラッキング方向Ｘに間隔をおいてレンズ保持体１２と反対側に突設される２つの軸部２４０６とを備えている。
【００１７】
図１に示すように、前記ダンパホルダ２４は、前記２つの軸部２４０６が前記基板２６の２つの取付孔２６０２に挿通された状態で熱かしめされることで基板２６に取着されるように構成されている。
図６（Ａ）、（Ｂ）に示すように、前記各連結部２４０４は、前記本体２４０２に接続する壁部２４０６と、この壁部２４０６の本体２４０２に接続された箇所から前記レンズ保持体１２側に延在する壁部２４０８と、壁部２４０６の本体２４０２と反対側の箇所から前記レンズ保持体１２側に延在する壁部２４１０と、これら壁部２４０８、２４１０のフォーカス方向Ｚの一方の端部を接続する壁部２４１２と、これら壁部２４０８、２４１０のフォーカス方向Ｚの他方の端部の接続する壁部２４１４とを備えている。
前記各壁部２４０６には、フォーカス方向に間隔をおいて前記ばね鋼材２２が挿通される貫通孔２４０７が設けられている。
前記壁部２４０６、２４０８、２４１０、２４１２、２４１４によって、前記各貫通孔２４０７に臨んで前記レンズ保持体１２側に向かって延在しレンズ保持体１２側に開口するダンパ材料収容室２４１６がそれぞれ形成されている。
【００１８】
フォーカス方向Ｚに間隔をおいて隣り合う２つのダンパ材料収容室２４１６の間には、前記壁部２４０６、２４０８、２４１０、２４１２、２４１４によって、前記２つのダンパ材料収容室２４１６に連通し、前記レンズ保持体１２側に開口する１つのダンパ材料注入室２４１８が前記２つのダンパ材料収容室２４１６よりも前記本体２４０２の延在方向の外側に変位した位置に設けられている。すなわち、前記ダンパ材料注入室２４１８はダンパ材料収容室２４１６に対して前記延在方向に段差を持って設けられている。
前記壁部２４１０の前記ダンパ材料収容室２４１６に臨み、前記レンズ保持体１２に面した縁部にはそれぞれ前方に突出するガイド片２４２０が設けられている。
【００１９】
図７に示すように、前記基板２６は、トラッキング方向Ｘに延在する板状に形成され、その延在方向の中間部で幅方向に間隔をおいて前記２つの取付孔２６０２が貫通して設けられている。
前記基板２６の各取付孔２６０２の延在方向外側の上下箇所には、前記ばね鋼材２２を収容可能な切欠が上方または下方に開口して設けられ、各切欠を囲むように基板２６の一方の面に半田付け部２６０４が設けられている。これら各半田付け部２６０４は、前記ダンパホルダ２４が基板２６に熱かしめで取り付けられたときに、ダンパホルダ２４の各貫通孔２４０７に臨む箇所に位置するように構成されている。
前記基板２６の延在方向の両側の箇所の一方の面には、後述する前記ヨーク部材１８の取付片１８０６に半田付けされる半田付け部２６０６が設けられている。
【００２０】
図１に示すように、前記ヨーク部材１８は、単一の部材から構成され、前記レンズ保持体１２の対物レンズ１０と反対側にフォーカス方向Ｚと直交をなすように矩形板状に延在している。
図８（Ａ）、（Ｂ）に示すように、前記ヨーク部材１８は、トラック接線方向Ｙに長さを、トラッキング方向Ｘに幅を有する矩形板状に形成された本体１８０１を有して構成されている。前記本体１８０１の幅方向の中央で長さ方向のやや一方寄りの箇所には、前記レンズ支持体１２を収容する開口１８０６が形成されている。
前記ヨーク部材１８の前記開口１８０２をトラック接線方向Ｙで挟む箇所には前記２つのフォーカス用ヨーク１８０２が起立して設けられている。
前記ヨーク部材１８の前記２つのフォーカス用ヨーク１８０２をトラック接線方向Ｙで挟む箇所には前記トラッキング用ヨーク１８０４が起立して設けられている。
【００２１】
前記各トラッキング用ヨーク１８０４の前記フォーカス用ヨーク１８０２に臨む箇所には、前記磁石２０がかしめなどによって取着されている。
すなわち、前記各フォーカス用ヨーク１８０２と、各トラッキング用ヨーク１８０４とは、単一の材料からなるヨーク部材１８によって一体的に構成されている。
前記ヨーク部材１８の長さ方向の他方の幅方向の両側には、前記取付片１８０６がそれぞれ起立して設けられている。
【００２２】
次に、図１乃至図９を参照して前記２軸装置の組立てについて説明する。
まず、前記レンズ保持体１２の第１コイル巻回部１２０４にフォーカスコイル１４が巻回され、該フォーカスコイル１４の巻線の端部が前記第１連結部１２０８の第１巻回部１２１１と第２巻回部１２１２に巻回される。
次いで、前記レンズ保持体１２の各第２コイル巻回部１２０６にトラッキングコイル１６が巻回され、該トラッキングコイル１６の巻線の端部が前記第２連結部１２１０の第１巻回部１２１１と第２巻回部１２１２に巻回される。
そして、前記各コイル１４、１６の巻線の端部が巻回された第１巻回部１２１１と第２巻回部１２１２が半田ディップされることによって、前記巻線の端部が巻回された部分が半田付け可能なランド部Ｌとして構成される。前記ランド部は、前記第１巻回部１２１１の部分の径方向の寸法が、第２巻回部１２１２の径方向の寸法よりも大きくなる。
【００２３】
次に、前記ダンパホルダ２４の２つの軸部２４０６が前記基板２６の２つの取付孔２６０２に挿通された状態で各軸部２４０６を熱かしめすることで前記ダンパホルダ２４を基板２６に取着する。これにより、前記基板２６の半田付け部２６０６はダンパホルダ２４の貫通孔２４０７に臨んだ位置に位置している。
そして、図４（Ｄ）に示すように、前記ばね鋼材２２の一端を前記レンズ保持体１２の第１連結部１２０８と第２連結部１２１０の貫通孔１２１４に挿通させた状態でばね鋼材２２とランドＬのダンパホルダ２４と反対側の箇所とを半田付けし、これにより前記ばね鋼材２２と前記ランド部Ｌとを連結する。
【００２４】
次いで、前記ばね鋼材２２の他端を前記ダンパホルダ２４のダンパ材料収容室２４１６の前方から後方に挿入し、壁部２４０６の貫通孔２４０７に挿入する。これにより、前記ばね部材２２の他端は、前記貫通孔２４０７を介して基板２６の半田付け部２６０４に臨んだ状態となる。
ここで、図９に示すように、前記ばね鋼材２２の他端と半田付け部２６０４を半田付けする。これにより、ばね鋼材２２の他端が基板２６およびダンパホルダ２４に連結される。
この状態で、前記レンズ保持体１２は、前記４つのばね鋼材２２を介して基板２６およびダンパホルダ２４に連結されている。
【００２５】
次に、前記ダンパホルダ２４をダンパ材料注入室２４１８の開口を鉛直上方に向けた状態で、紫外線硬化型のゲル状のダンパ材料を注入装置から管状の針を介して前記ダンパホルダ２４のダンパ材料注入室２４１８に注入する。この際、前記針を前記ガイド片２４２０に当接させることによって針の位置を固定することが可能である。
ダンパ材料の注入完了後、紫外線を照射してダンパ材料収容室２４１６内のダンパ材料を硬化させる。これにより、前記ばね鋼材２２の振動が前記ダンパ材料によって吸収されることになる。
【００２６】
次に、図３（Ａ）、（Ｂ）、（Ｃ）に示すように、前記対物レンズ１０を前記レンズ保持体１２の対物レンズ保持壁１２０３に保持させた状態で、紫外線硬化型の接着剤Ｓを前述した対物レンズ保持壁１２０３の４箇所に塗布し、紫外線を照射して接着剤Ｓを硬化させる。これにより、前記対物レンズ１０がレンズ保持体１２に取り付けられる。
【００２７】
次に、前記レンズ保持体１２のフォーカスコイル１４の内側にフォーカス用ヨーク１８を臨ませ、前記レンズ保持体１２の各トラッキングコイル１６の外側にトラッキング用ヨーク１８０４に取着された磁石２０を臨ませ、図９に示すように、前記基板２６の各半田取付部２６０６を前記ヨーク部材１８の各取付片１８０６に臨ませてこれら半田取付部２６０６と取付片１８０６とを半田付けする。これにより、前記基板２６がヨーク部材１８に取着される。
この結果、図１、図１０に示すように、前記対物レンズ１０を保持したレンズ保持体１２が４つのばね鋼材２２を介してダンパホルダ２４および基板２６に連結され、前記２軸装置Ｕの組立てが完了する。
【００２８】
次に、前記２軸装置Ｕの動作について説明する。
図１に示すように、不図示の制御回路から前記基板２６にフォーカスコイル駆動用の駆動電流が供給されると、前記駆動電流は、半田付け部２６０４、ばね鋼材２２を介してフォーカスコイル１４に供給される。
これにより、前記フォーカスコイル１４で発生する磁界と前記磁石２０とフォーカス用ヨーク１８０２によって構成される磁気回路による磁界との相互作用によって、前記レンズ保持体１２にフォーカス方向Ｚの力が作用する。
この結果、前記レンズ保持体１２は、前記各ばね鋼材２２の弾性力に抗してフォーカス方向Ｚに駆動される。
【００２９】
また、前記不図示の制御回路から前記基板２６にトラッキング駆動用の駆動電流が供給されると、前記駆動電流は、半田付け部２６０４、ばね鋼材２２を介して各トラッキングコイル１６に供給される。
これにより、前記各トラッキングコイル１６で発生する磁界と前記磁石２０とトラッキング用ヨーク１８０４によって構成される磁気回路による磁界との相互作用によって、前記レンズ保持体１２にトラッキング方向Ｘの力が作用する。
この結果、前記レンズ保持体１２は、前記各ばね鋼材２２の付勢力に抗してトラッキング方向Ｘに駆動される。
【００３０】
このように構成された２軸装置Ｕによれば、前記対物レンズ１０を前記対物レンズ保持壁１２０３に接着する接着剤Ｓが前記対物レンズ１０の中心を通り前記トラッキング方向Ｘに対して４５度斜めの方向に延在する２本の仮想線と、この２本の仮想線と交わる対物レンズ保持壁１２０３の４箇所に位置している。
したがって、前記４箇所の接着剤Ｓが温度変化により変形し、前記対物レンズ１０がその径方向にΔＬだけ変位した場合、対物レンズ１０の変位する方向がトラッキング方向Ｘに対して４５度斜めの方向となるため、対物レンズ１０のトラッキング方向Ｘおよびトラック接線方向Ｙに対する変位量は、ΔＬ／２0.5となり、その影響を軽減することができる。
なお、温度変化による接着剤Ｓの変形を抑制するためには、接着剤Ｓの塗布量をなるべく少量とするとともに、接着剤Ｓとして温度変化による変形が少ない例えば紫外線硬化型のエポキシ接着剤を採用することが望ましい。
【００３１】
また、前記トラッキングコイル１６が、第２コイル巻回部１２０６に巻回された状態で、前記対物レンズ１０の中心を通り前記トラッキング方向Ｘと直交する面から離れるに従って前記両側のトラッキングコイル１４が前記磁石２０から離間した構成とした。
そのため、前記トラッキングコイル１４と前記磁石２０との間隔を広げることなく、前記第２コイル巻回部１２０６の筒部の先端と前記磁石２０の間隔を確保することが可能となり、前記筒部の先端に肉厚の前記フランジ部１２０７を設けることによって、前記第２コイル巻回部１２０６の強度を向上させることができ、コイル巻回後の変形を防止する上で有利である。
【００３２】
また、前記レンズ保持体１２の筒部１２０２の外側でフォーカスコイル１４の内側に後述するフォーカス用ヨーク１８０２が配置され、このフォーカス用ヨーク１８０２の先端は前記レンズ保持壁１２０３の部分で覆われている構成とした。
そのため、前記レンズ保持壁１２０３によってレンズ保持体１２の強度を高めることが可能となり、コイルの巻回による変形を防止するとともに、高域共振の特性を向上させる上で有利である。
また、このフォーカス用ヨーク１８０２の先端は前記レンズ保持壁１２０３の部分で覆われているので、半田付け作業の際にフォーカス用ヨーク１８０２にフラックスが付着することを防止でき、フォーカス用ヨーク１８０２とレンズ保持体１２とがフラックスによって貼りつく不具合を防止できる。
また、前記フォーカス用ヨーク１８０２の先端と、該先端に臨むレンズ保持壁１２０３の部分とによって前記レンズ保持体１２のフォーカス方向Ｚに対するストッパが構成されているため、落下などの衝撃が加わった時に前記ばね鋼材２２に過大な力が加わって変形することを防止することができる。
また、本実施の形態では、フォーカス用ヨーク１８０２の先端を前記レンズ保持壁１２０３の部分で覆うために、前記フォーカス用ヨーク１８０２の延在方向の寸法を従来に比較して短くした。このため、対向する２つの前記フォーカス用ヨーク１８０２を前記本体１８０１から切り起こして成形する場合に、前記フォーカス用ヨーク１８０２の延在方向の寸法を確保するために、鍛造加工を行なう必要がなく、コストダウンを図る上で有利である。
【００３３】
本実施の形態では、前記レンズ保持体１２の第１、第２巻回部１２１１、１２１２の貫通孔１２１４の中間部はこれら第１、第２巻回部１２１１、１２１２の内部に位置しているため、第１、第２巻回部１２１１、１２１２が半田ディップされる際、第１、第２巻回部１２１１、１２１２の貫通孔１２１４の中間部には半田やフラックスが進入しにくい。
このため、簡素な構成によって、前記中間部の熱変形や中間部へのフラックス付着を防止でき、これにより、前記貫通孔１２１４前記ばね鋼材２２を挿入したときにおけるばね鋼材２２と前記中間部との当接位置がずれることを防止できる。
したがって、前記ばね鋼材２２が前記ダンパホルダ２４に連結されている基板２６の半田付け部２６０４の箇所から前記中間部までの有効長の精度を向上させる上で有利である。
【００３４】
また、前記第１、第２巻回部１２１１、１２１２に構成される前記ランド部Ｌは、前記レンズ支持体１２に近い第１巻回部１２１１の部分の径方向の寸法が第２巻回部１２１２の部分の径方法の寸法よりも大きいため、前記ランド部Ｌの全長およびばね鋼材２２にわたって過不足なく半田が行き渡り、半田付けを確実に行なうことができる。
【００３５】
また、前記ダンパホルダ２４には、２つのダンパ材料収容室２４１６に連通したダンパ材料注入室２４１８を設けたので、ダンパ材料は、いったん前記ダンパ材料注入室２４１８に満たされてからダンパ材料収容室２４１６に流入する。
これにより、ダンパ材料のダンパ材料収容室２４１６への流入がゆっくりと行なわれる。このため、前記ばね鋼材２２の外周とダンパホルダ２４の間に満たされるダンパ材料に空気の泡が生じてダンパ材料の充填が不均一となり振動吸収作用にばらつきが生じることを防止できる。
また、前記ダンパホルダ２４の側壁２４１０に前記ガイド片２４２０を設けたので、ダンパ材料の注入装置の針を前記ガイド片２４２０に当接させることによって前記針が不用意にばね鋼材２２に接触してこれを変形させてしまうことを防止することができる。
また、１つのダンパ材料注入室２４１８から２つのダンパ材料収容室２４１６に同時にゲルを流入させることができるので、２つのダンパ材料収容室に別々にゲルを注入する場合に比較して作業回数が少なくて済む。
性が向上する。
【００３６】
また、ヨーク部材１８を半田付けによって基板２６に固定するため、他の部材が不要となりコストダウンが可能となる。
また、フォーカス用ヨーク１８０２とトラッキング用ヨーク１８０４がヨーク部材１８に一体的に構成されているので、各ヨークを個別に設ける場合に比較して部品点数を削減することができる。
【００３７】
次に、図１１を参照して第２の実施の形態について説明する。
図１１は第２の実施の形態の２軸装置の構成を示す平面図であり、第１の実施の形態と同じ部分には同一の符号を付してその説明を省略する。
第２の実施の形態が第１の実施の形態と異なる点は、レンズ保持体の第２コイル巻回部のフランジ部の形状とダンパホルダの形状である。
図１１に示すように、前記レンズ保持体１２の第２コイル巻回部１２０６のフランジ部１２０７Ａは、前記磁石２０に臨む箇所がトラッキング方向Ｘとフォーカス方向Ｚの双方に対して平行をなす平面を構成するように設けられている。すなわち、前記フランジ部１２０７Ａの磁石２０に臨む箇所と磁石２０との間隔がトラッキング方向Ｘとフォーカス方向Ｚにわたって均一となるように構成されている。
また、前記ダンパホルダ２４の前記レンズ保持体１２の第２コイル巻回部１２０６のフランジ部１２０７Ａに臨むそれぞれの箇所には、トラック接線方向Ｙにおいて前記磁石２０の前記フランジ部１２０７Ａに臨む面とほぼ同じ位置まで突出する規制部２４２２がそれぞれ設けられている。
前記レンズ保持体１２がトラッキング方向Ｘに移動すると、各フランジ部１２０７Ａは前記磁石２０または規制部２４２２に近接してやがて当接するように構成されている。
上記構成によれば、第１の実施の形態の効果に加えて次の効果を奏することができる。
すなわち、前記フランジ部１２０７Ａと、前記磁石２０および規制部２４２２によって前記レンズ保持体１２のトラッキング方向Ｘに対するストッパが構成されていることにより、落下などの衝撃が加わった時に前記ばね鋼材２２に過大な力が加わって変形することを防止することができる。
【００３８】
次に、図１２乃至図１５を参照して、第１、第２連結部１２０８、１２１０とばね鋼材２２を連結する構成の変形例を示す第３乃至第６の実施の形態について説明する。
第３の実施の形態は、図１２（Ａ）、（Ｂ）に示すように、前記非巻回部１２１３の貫通孔１２１４にばね鋼材２２が挿通された状態で、貫通孔１２１４の半田付けされている側の円錐面１２１５と反対側の円錐面１２１６の箇所に、すなわちダンパホルダ２４に近い第１、第２連結部１２０８、１２１０の箇所に接着剤Ｓを充填してばね鋼材２２と第１、第２連結部１２０８、１２１０を連結する構成としている。
そのため、前記ばね鋼材２２をダンパホルダ２４に近い第１、第２連結部１２０８、１２１０の箇所で接着剤によって連結することができるので、前記ばね鋼材２２が前記ダンパホルダ２４に連結されている基板２６の半田付け部２６０４の箇所から前記第１、第２連結部１２０８、１２１０の箇所までの有効長の精度を向上させる上で有利である。
【００３９】
第４の実施の形態は、図１３（Ａ）、（Ｂ）、（Ｃ）に示すように、貫通孔１２１４の中間部を貫通孔１２１４の延在方向のうち、ダンパホルダ２４寄りの位置に設け、貫通孔１２１４のダンパホルダ２４と反対側の箇所を開口して接着剤充填用の開口部１２１４Ａとした構成としている。
そのため、前記開口部１２１４Ａから接着剤Ｓを充填する際の作業性が向上することができるとともに、前記ばね鋼材２２を第１、第２連結部１２０８、１２１０の箇所で接着剤Ｓによって連結することができるので、前記ばね鋼材２２が前記ダンパホルダ２４に連結されている基板２６の半田付け部２６０４の箇所から前記中間部までの有効長の精度を向上させる上で有利である。
【００４０】
第５の実施の形態は、図１４（Ａ）、（Ｂ）に示すように、前記第１、第２連結部１２０８、１２１０の第１、第２巻回部１２１１、１２１２の形状をレンズ保持体１２から離間するにつれて径方向の寸法が次第に小さくなるように構成している。
また、第１巻回部１２１１の第２巻回部１２１２に臨む箇所の径方向の寸法ｄ１は、第２巻回部１２１２の第１巻回部１２１２に臨む箇所の径方向の寸法ｄ２よりも大となるように構成され、非巻回部１２１３の径方向の寸法ｄ３はｄ１＞ｄ３＞ｄ２となるように構成されている。
また、第１巻回部１２１１と第２巻回部１２１２においてそれぞれ径方向の寸法が最小となる箇所のそれぞれに滑り止めのフランジ部１２１１Ａ、１２１２Ａが設けられている。
そのため、第１の実施の形態と同様に、前記第１、第２巻回部１２１１、１２１２に構成される前記ランド部Ｌは、前記レンズ支持体１２に近い第１巻回部１２１１の部分の径方向の寸法が第２巻回部１２１２の部分の径方法の寸法よりも大きいため、前記ランド部Ｌの全長およびばね鋼材２２にわたって過不足なく半田が行き渡り、半田付けを確実に行なうことができる。
また、前記フランジ部１２１１Ａ、１２１２Ａを設けることによって、フォーカスコイル１４またはトラッキングコイル１６の巻線の両端が第１、第２巻回部１２１１、１２１２に巻回された部分が外れることを防止することができる。
【００４１】
第６の実施の形態は、図１５（Ａ）に示すように、前記第１、第２連結部１２０８、１２１０をレンズ保持体１２から突設された突設片１２３０で構成している。
前記突設片１２３０はレンズ保持体１２に接続された帯状の基端部１２３１と、基端部１２３１の先端に接続された菱形の先端部１２３２とから構成されている。前記先端部１２３２は、その４つの縁部が前記基端部１２３１の延在方向に対して斜めに傾斜するように構成されている。
前記先端部１２３２には、前記ばね鋼材２２が挿通可能な貫通孔１２３３が設けられ、前記４つの縁部は貫通孔１２３３を囲むように位置している。
図１５（Ｂ）に示すように、前記フォーカスコイル１４またはトラッキングコイル１６の巻線の両端は、前記基端部１２３１の箇所で前記延在方向と直交する方向に巻回されるとともに、前記４つの縁部の互いに対向する縁部の間に巻回される。
これにより、前記突設片１２３０に巻回されたフォーカスコイル１４またはトラッキングコイル１６の巻線の両端は前記貫通孔１２３３を３方向から囲むように位置したランドＬを構成する。
そのため、前記貫通孔１２３３に挿通されたばね鋼材２２と、該ばね鋼材２２を３方向から囲むランドＬとを半田付けすることにより、ばね鋼材２２とランドＬとの半田付けを確実に行ない、これらを連結することができる。
なお、貫通孔１２３３の径方向の寸法がばね鋼材２２の径方向の寸法に比較して大きな場合には、ばね鋼材２２と突設片１２３０との位置決めを不図示の治具によって行なった状態で、ばね鋼材２２とランドＬの半田付けを行なうことが必要である。
【００４２】
【発明の効果】
以上説明したように、本発明によれば、温度変化などによる対物レンズの光ディスクのトラッキング方向やトラック接線方向に対する位置ずれを生じにくくすることができる。
また、本発明によれば、前記トラッキングコイルと前記磁石との間隔を広げることなく、トラッキングコイルが配設されたレンズ保持体の箇所と磁石の間隔を確保することが可能となるため、前記レンズ保持体の箇所を肉厚に構成するなどしてレンズ保持体の強度を向上させることができる。
また、本発明によれば、前記レンズ保持壁によってレンズ保持体の強度を高めることが可能となる。
また、本発明によれば、簡素な構成によって、前記中間部の熱変形や中間部へのフラックス付着を防止でき、これにより、前記貫通孔に前記ばね鋼材を挿入したときにおけるばね鋼材と前記中間部との当接位置がずれることを防止でき、これにより、前記ばね鋼材の有効長の精度を向上させる上で有利である。
また、本発明によれば、前記ばね鋼材の外周とダンパホルダの間に満たされるダンパ材料に空気の泡が生じてダンパ材料の充填が不均一となり振動吸収作用にばらつきが生じることを防止できる。
また、本発明によれば、フォーカス用ヨークとトラッキング用ヨークが単一部材により一体的に構成されているので、部品点数を削減してコストダウンを図ることができる。
【図面の簡単な説明】
【図１】本発明の第１の実施の形態の光ディスク装置の２軸装置の構成を示す平面図である。
【図２】図１のＡＡ線断面図である。
【図３】（Ａ）はレンズ保持体の平面図、（Ｂ）はレンズ保持体の側面図、（Ｃ）は（Ａ）のＡＡ線断面図である。
【図４】（Ａ）は第１、第２連結部の平面図、（Ｂ）は第１、第２連結部の断面図、（Ｃ）は第１、第２連結部の正面図、（Ｄ）は半田付け時の説明図である。
【図５】ダンパホルダの斜視図である。
【図６】（Ａ）はダンパホルダの正面図、（Ｂ）は（Ａ）のＡＡ線断面図、（Ｃ）は（Ａ）のＢＢ線断面図である。
【図７】基板の平面図である。
【図８】（Ａ）はヨーク部材の平面図、（Ｂ）はヨーク部材の側面図である。
【図９】基板とダンパホルダが組み立てられた状態を示す説明図である。
【図１０】基板とダンパホルダとヨーク部材が組み立てられた状態を示す説明図である。
【図１１】第２の実施の形態の２軸装置の構成を示す平面図である。
【図１２】（Ａ）は第３の実施の形態における第１、第２連結部の断面図、（Ｂ）は第３の実施の形態における第１、第２連結部の半田付けの説明図である。
【図１３】（Ａ）は第４の実施の形態における第１、第２連結部の平面図、（Ｂ）は第４の実施の形態の第１、第２連結部の断面図、（Ｃ）は第４の実施の形態における第１、第２連結部の半田付けの説明図である。
【図１４】（Ａ）は第５の実施の形態における第１、第２連結部の平面図、（Ｂ）は第５の実施の形態の第１、第２連結部の正面図である。
【図１５】（Ａ）は第６の実施の形態の第１、第２連結部の正面図、（Ｂ）は第６の実施の形態における第１、第２連結部の巻線の巻回を示す説明図である。
【符号の説明】
Ｕ……光ディスク装置の２軸装置、１０……対物レンズ、１２……レンズ保持体、１４……フォーカスコイル、１６……トラッキングコイル、１８……ヨーク部材、２０……磁石、２２……ばね鋼材、２４……ダンパホルダ、２６……基板、１２０３……レンズ保持壁、１２０８……第１連結部、１２１０……第２連結部、１２１１……第１巻回部、１２１２……第２巻回部、１２１３……非巻回部１２１３、Ｌ……ランド、Ｓ……接着剤、Ｈ……半田。
【図１】
0004406707.tif 000002
【図２】
0004406707.tif 000003
【図３】
0004406707.tif 000004
【図４】
0004406707.tif 000005
【図５】
0004406707.tif 000006
【図６】
0004406707.tif 000007
【図７】
0004406707.tif 000008
【図８】
0004406707.tif 000009
【図９】
0004406707.tif 000010
【図１０】
0004406707.tif 000011
【図１１】
0004406707.tif 000012
【図１２】
0004406707.tif 000013
【図１３】
0004406707.tif 000014
【図１４】
0004406707.tif 000015
【図１５】
0004406707.tif 000016